(57)【要約】【課題】基準点測量の図の作成をより効率化させることが可能になる。【解決手段】ＧＮＳＳ衛星から同時観測を実行した複数の観測装置により受信された信号に基づいて前記観測装置の設置点に係る位置情報、および既知基準点に係る位置情報を取得することと、取得された前記観測装置の設置点に係る位置情報、および前記既知基準点に係る位置情報を用い、第１の自動生成アルゴリズムに従って、プロセッサが、点検網を生成することと、を含む、情報処理方法を提供する。【選択図】図５
2020012713.tif 000002
【特許請求の範囲】
【請求項１】
ＧＮＳＳ衛星から同時観測を実行した複数の観測装置により受信された信号に基づいて前記観測装置の設置点に係る位置情報、および既知基準点に係る位置情報を取得することと、
取得された前記観測装置の設置点に係る位置情報、および前記既知基準点に係る位置情報を用い、第１の自動生成アルゴリズムに従って、プロセッサが、点検網を生成することと、
を含む、情報処理方法。
【請求項２】
前記既知基準点が電子基準点である場合、取得された前記観測装置の設置点に係る位置情報、および前記電子基準点に係る位置情報を用い、第２の自動生成アルゴリズムに従って、前記電子基準点間を結合する点検路線を生成すること、
をさらに含む、請求項１に記載の情報処理方法。
【請求項３】
前記点検網が正常に生成されなかったことをユーザに対し通知すること、
をさらに含む、請求項１に記載の情報処理方法。
【請求項４】
前記生成された点検網に基づいて実行された第１の基線解析に係る結果を用い、第３の自動生成アルゴリズムに従って、平均計算網を生成すること、
をさらに含み、
前記平均計算網は、三次元網平均計算の実行に用いられる、
請求項１に記載の情報処理方法。
【請求項５】
生成された前記平均計算網に基づいて実行された第２の基線解析に係る結果に関して、一部または全部の基線にＦＩＸ解が存在するか否かを判定することと、
前記第２の基線解析に係る結果に関して、一部または全部の前記基線にＦＩＸ解が存在しないと判定された場合、前記第１の基線解析に係る結果を用い、第３の自動生成アルゴリズムに従って、前記平均計算網とは異なる平均計算網を生成することと、
をさらに含む、請求項４に記載の情報処理方法。
【請求項６】
前記第２の基線解析に係る結果に関して、前記一部または全部の基線にＦＩＸ解が存在しないと判定されたことをユーザに対し通知すること、
をさらに含む、請求項５に記載の情報処理方法。
【請求項７】
前記平均計算網に係る情報を、ユーザに対し通知すること、
をさらに含む、請求項４に記載の情報処理方法。
【請求項８】
前記平均計算網に係る情報を、基準点測量の成果物として出力すること、
をさらに含む、請求項７に記載の情報処理方法。
【請求項９】
前記観測装置の設置点に係る位置情報を、同時観測が実行されたセッション毎に分割することと、
取得された前記観測装置の設置点に係る位置情報、および前記既知基準点に係る位置情報を用い、第１の自動生成アルゴリズムに従って、プロセッサが、前記セッション毎の点検網を生成することと、
をさらに含む、請求項１に記載の情報処理方法。
【請求項１０】
前記同時観測は、スタティック法、ＲＴＫ法、またはキネマティック法のいずれかにより実行される、
請求項１に記載の情報処理方法。
【請求項１１】
飛行撮像装置により撮像された前記観測装置を含む撮像画像から前記観測装置を検出し、検出された前記撮像画像中の前記観測装置の位置と前記観測装置の設置点に係る位置とを対応付けること、
をさらに含む請求項１に記載の情報処理方法。
【請求項１２】
コンピュータを、
ＧＮＳＳ衛星から同時観測を実行した複数の観測装置により受信された信号に基づいて前記観測装置の設置点に係る位置情報、および既知基準点に係る位置情報を取得する情報取得部と、
取得された前記観測装置の設置点に係る位置情報、および前記既知基準点に係る位置情報を用い、自動生成アルゴリズムに従って、点検網を生成する自動生成部と、
を備える、情報処理装置、
として機能させるためのプログラム。
【請求項１３】
ＧＮＳＳ衛星から受信した信号に基づいて同時観測を実行する観測装置と、
前記観測装置により受信された信号に基づいて前記観測装置の設置点に係る位置情報、および既知基準点に係る位置情報を取得する情報取得部と、
取得された前記観測装置の設置点に係る位置情報、および前記既知基準点に係る位置情報を用い、第１の自動生成アルゴリズムに従って、プロセッサが、点検網を生成する自動生成部と、
を備える、情報処理システム。
【発明の詳細な説明】
【技術分野】
【０００１】
本開示は、情報処理方法、プログラム、および情報処理システムに関する。
【背景技術】
【０００２】
近年、ＧＮＳＳ（Ｇｌｏｂａｌ  Ｎａｖｉｇａｔｉｏｎ  Ｓａｔｅｌｌｉｔｅ  Ｓｙｓｔｅｍ）衛星から送信された電波信号を利用して基準点測量を行う技術が普及している。
【０００３】
例えば、特許文献１には、基準点測量において算出された誤差が事後的に確認可能となる技術が開示されている。また、特許文献２には、基準点測量の結果に関する情報を管理することが容易となる技術が開示されている。
【先行技術文献】
【特許文献】
【０００４】
【特許文献１】特開２０１７−１７９９７８号公報
【特許文献２】特開２０１７−１７９９７９号公報
【発明の概要】
【発明が解決しようとする課題】
【０００５】
しかし、従来技術において、例えば基準点測量で用いる種々の図を作成する作業などは、人の手で行うため、多くの手間が必要である。
【０００６】
そこで、本開示は、上記に鑑みてなされたものであり、基準点測量における図の作成をより効率的とすることが可能な情報処理方法、プログラム、および情報処理システムを提供する。
【課題を解決するための手段】
【０００７】
本開示によれば、ＧＮＳＳ衛星から同時観測を実行した複数の観測装置により受信された信号に基づいて前記観測装置の設置点に係る位置情報、および既知基準点に係る位置情報を取得することと、取得された前記観測装置の設置点に係る位置情報、および前記既知基準点に係る位置情報を用い、第１の自動生成アルゴリズムに従って、プロセッサが、点検網を生成することと、を含む、情報処理方法が提供される。
【０００８】
また、本開示によれば、コンピュータを、ＧＮＳＳ衛星から同時観測を実行した複数の観測装置により受信された信号に基づいて前記観測装置の設置点に係る位置情報、および既知基準点に係る位置情報を取得する情報取得部と、取得された前記観測装置の設置点に係る位置情報、および前記既知基準点に係る位置情報を用い、自動生成アルゴリズムに従って、点検網を生成する自動生成部と、を備える、情報処理装置、として機能させるためのプログラムが提供される。
【０００９】
また、本開示によれば、ＧＮＳＳ衛星から受信した信号に基づいて同時観測を実行する観測装置と、前記観測装置により受信された信号に基づいて前記観測装置の設置点に係る位置情報、および既知基準点に係る位置情報を取得する情報取得部と、取得された前記観測装置の設置点に係る位置情報、および前記既知基準点に係る位置情報を用い、第１の自動生成アルゴリズムに従って、プロセッサが、点検網を生成する自動生成部と、を備える、情報処理システムが提供される。
【発明の効果】
【００１０】
以上説明したように本開示によれば、基準点測量における図の作成をより効率的とすることが可能になる。
【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】第１の実施形態に係る情報処理システムの構成例を示す図である。
【図２】第１の実施形態に係るＧＮＳＳ受信装置１００の機能構成例を示すブロック図である。
【図３】第１の実施形態に係る測量計算サーバ３００の機能構成例を示すブロック図である。
【図４】複数のＧＮＳＳ受信装置１００を用いたスタティック法に従った同時観測の方法について説明するための図である。
【図５】自動生成アルゴリズムに従って点検網および点検路線を生成する動作の一例について説明するための図である。
【図６】点検網が正常に生成されなかったことをユーザに対し通知する一例について説明するための図である。
【図７】自動生成アルゴリズムに従って平均計算網を生成する動作の一例について説明するための図である。
【図８】ＦＩＸ解が得られなかったことをユーザに対し通知する一例について説明するための図である。
【図９】スタティック法を用いた観測に関する作業の流れの一例を示すフローチャートである。
【図１０】第１の実施形態に係る測量計算サーバ３００による測量計算に係る動作の流れの一例を示すフローチャートである。
【図１１】第２の実施形態に係る三次元網平均計算を実行した際に用いた平均計算網に係る情報を、ユーザに対し通知する一例について説明するための図である。
【図１２】第３の実施形態に係るＧＮＳＳ受信装置１００の機能構成例を示すブロック図である。
【図１３】第４の実施形態に係る飛行撮像装置を用いた観測の概要を説明するための図である。
【図１４】本開示の一実施形態に係る測量計算サーバ３００のハードウェア構成例を示すブロック図である。
【発明を実施するための形態】
【００１３】
以下に添付図面を参照しながら、本開示の好適な実行の形態について詳細に説明する。なお、本明細書及び図面において、実質的に同一の機能構成を有する構成要素については、同一の符号を付することにより重複説明を省略する。また、実質的に同一の機能構成を有する複数の構成要素を区別するために、同一の符号の後に異なるアルファベットが付されている場合がある。
【００１４】
なお、説明は以下の順序で行うものとする。
１．第１の実施形態
１−１．情報処理システムの概要および構成例
１−２．ＧＮＳＳ受信装置１００の機能構成例
１−３．測量計算サーバ３００の機能構成例
２．観測及び測量計算の動作例
２−１．観測に関する動作例
２−２．測量計算に関する動作例
３．動作の流れ
３−１．観測に関する作業の流れ
３−２．測量計算に関する動作の流れ
４．第２の実施形態
５．第３の実施形態
６．第４の実施形態
７．ハードウェア構成例
８．まとめ
【００１５】
＜１．第１の実施形態＞
（１−１．情報処理システムの概要および構成例）
以降では、本開示に係る情報処理システムの概要および構成例について説明していく。図１は、第１の実施形態に係る情報処理システムの構成例を示す図である。
【００１６】
まず、ＧＮＳＳ衛星から送信された電波信号を用いる基準点測量の概要を説明する。本実施形態に係る情報処理システムでは、複数のＧＮＳＳ衛星からの電波信号を用いた基準点測量が可能である。ここで、基準点測量とは、平面位置または標高の定まった点である既知基準点に基づいて、新たな基準点の平面位置または標高を決定する作業をいう。基準点測量の作業工程は以下の通りである。まず、測量対象の現場においてＧＮＳＳ受信装置がＧＮＳＳ衛星からの電波信号を受信することで観測を行う。次に、ＧＮＳＳ受信装置は、観測により受信した電波信号から、基準点測量に必要なデータ（以下、観測データと称する）を抽出する。次に、測量計算サーバは、抽出された観測データに基づいて、各種測量に関する計算（以下、測量計算と称する）を実行し、新たな基準点での平面位置または標高を決定する。そして、測量計算の結果に基づいて、各種成果物を生成し、基準点測量に関する作業は完了する。
【００１７】
ここで、観測とは、事前に計画された複数の新たな基準点（以下、設置点と称する）にそれぞれＧＮＳＳ受信装置を設置し、複数のＧＮＳＳ受信装置にＧＮＳＳ衛星からの電波信号を受信させる作業をいう。また、測量計算とは、基線解析、点検計算および平均計算をいう。ここで、基線解析とは、観測データに基づいて、設置点間の長さと方向を決定する計算である。また、点検計算とは、基線解析の結果の良否を点検するために、観測作業が終了した後に実行される計算である。また、平均計算とは、最終的な測量結果を求めるための計算である。なお、ＧＮＳＳ衛星から送信される電波信号を用いて観測を実行する測量方法をＧＮＳＳ測量という。ＧＮＳＳ測量の場合、平均計算として、三次元網平均計算を実行する必要がある。ここで、ＧＮＳＳとは、ＧＰＳ、ＧＬＯＮＡＳＳ、Ｇａｌｉｌｅｏまたは準天頂衛星等の衛星測位システムである。ＧＮＳＳ測量においては、複数の衛星測位システムが基線解析に用いられる。
【００１８】
なお、ＧＮＳＳ測量では、測量計算として、まず１回目の基線解析を実行し、次に当該基線解析の結果に対する点検計算を実行する。当該点検計算の実行後、２回目の基線解析を実行し、当該基線解析の結果を用いて、三次元網平均計算を実行する。
【００１９】
なお、ＧＮＳＳ測量で必要な上記で説明した種々の計算を実行するためには、設置点の位置情報および既知基準点の位置情報の取得、並びに網図の生成が必要となる。網図とは、測量計算で実行する各々の計算に対応する、設置点および既知基準点間の関係性を示す図をいう。
【００２０】
以上が、ＧＮＳＳ衛星から送信される電波信号を用いた基準点測量の概要である。次に、本実施形態に係るシステム構成例を説明していく。図１に示すように、本実施形態に係る情報処理システムは、ＧＮＳＳ受信装置１００、リムーバブルメモリ１３０、クライアント端末２００、測量計算サーバ３００、およびネットワーク５００を備える。
【００２１】
本実施形態に係るＧＮＳＳ受信装置１００は、複数のＧＮＳＳ衛星から電波信号を受信することが可能な観測装置である。なお、本実施形態では、複数のＧＮＳＳ受信装置１００が、同時観測を実行する。ここでの同時観測は、複数のＧＮＳＳ受信装置１００が同じ時間にＧＮＳＳ衛星からの電波信号を受信することをいう。また、ＧＮＳＳ受信装置１００は、電波信号から抽出された観測データを、当該ＧＮＳＳ受信装置１００に挿入された後述するリムーバブルメモリ１３０に記憶する機能を有する。
【００２２】
なお、ＧＮＳＳ受信装置１００は、例えば図１のＧＮＳＳ受信装置１００ａ〜１００ｃに示されるような複数の円が同心円状に配置された形状でもよい。また、ＧＮＳＳ受信装置１００、互いに隣接した円の色彩に対応する色相は所定の閾値以上異なるか、一方が黒であるような特徴を有してもよい。
【００２３】
本実施形態に係るリムーバブルメモリ１３０は、各種情報を記憶する記憶媒体である。具体的には、リムーバブルメモリ１３０は、ＧＮＳＳ受信装置１００に挿入され、電波信号から抽出された観測データを記憶する。また、リムーバブルメモリ１３０は、クライアント端末２００に挿入され、クライアント端末２００へ観測データを提供する。
【００２４】
本実施形態に係るクライアント端末２００は、ＧＮＳＳ受信装置１００から観測データを提供され、当該観測データを測量計算サーバ３００に送信する情報処理装置である。また、クライアント端末２００は、測量計算サーバ３００から送信された通知に基づいて、測量計算に係る情報をユーザに対し表示する機能を有する。また、クライアント端末２００は、ユーザに対し測量計算に係る情報を表示するためのディスプレイを備えてよい。
【００２５】
ここで、測量計算に係る情報とは、例えば点検網が正常に生成されなかったこと、一部または全部の基線にＦＩＸ解が存在しないと判定されたこと、平均計算網に係る情報、など測量計算の成否に係る情報をいう。上記詳細については、後述する。
【００２６】
本実施形態に係る測量計算サーバ３００は、複数のＧＮＳＳ受信装置１００が実行した同時観測に関する測量計算を実行する情報処理装置である。また、測量計算サーバ３００は、ＧＮＳＳ衛星から受信した電波信号に基づいて同時観測を実行した複数のＧＮＳＳ受信装置１００により計算されたＧＮＳＳ受信装置１００の設置点に係る位置情報、および既知基準点に係る位置情報を取得する情報処理装置である。
【００２７】
本実施形態に係るネットワーク５００は、クライアント端末２００と測量計算サーバ３００とを接続する機能を有する。また、測量計算サーバ３００が電子基準点に係る情報を取得する際に用いられる。ネットワーク５００は、インターネット、電話回線網、衛星通信網などの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）などを含んでもよい。また、ネットワーク５００は、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）などの専用回線網を含んでもよい。また、ネットワーク５００は、Ｗｉ−Ｆｉ（登録商標）、Ｂｌｕｅｔｏｏｔｈ（登録商標）など無線通信網を含んでもよい。
【００２８】
（１−２．ＧＮＳＳ受信装置１００の機能構成例）
次に、本実施形態に係るＧＮＳＳ受信装置１００の機能構成例について説明する。図２は、本実施形態に係るＧＮＳＳ受信装置１００の機能構成例を示すブロック図である。図２を参照すると、本実施形態に係るＧＮＳＳ受信装置１００は、アンテナ１１０、処理部１２０、およびリムーバブルメモリ１３０を備える。
【００２９】
アンテナ１１０は、ＧＮＳＳ衛星からの電波信号を受信するＧＮＳＳ受信部として機能し、当該電波信号を後述する処理部１２０に提供する機能を有する。
【００３０】
処理部１２０は、アンテナ１１０が受信した信号から、ＧＮＳＳ衛星からの信号を抽出する機能を有する。また、処理部１２０は、抽出した観測データを後述するリムーバブルメモリ１３０に提供して記憶させる機能を有する。
【００３１】
リムーバブルメモリ１３０は、処理部１２０が抽出した観測データを記憶する機能を有する。なお、当該リムーバブルメモリ１３０は、情報処理システムの構成例で説明したリムーバブルメモリ１３０と同一である。リムーバブルメモリ１３０は、上述したようにＧＮＳＳ受信装置１００に挿入されることが可能な記憶媒体である。リムーバブルメモリ１３０は、ＧＮＳＳ受信装置１００から取り外され、クライアント端末２００へ挿入される。つまり、ＧＮＳＳ受信装置１００の観測データは、リムーバブルメモリ１３０によりクライアント端末２００へ提供されることが可能である。
【００３２】
（１−３．測量計算サーバ３００の機能構成例）
次に、本実施形態に係る測量計算サーバ３００の機能構成例について説明する。図３は、本実施形態に係る測量計算サーバ３００の機能構成例を示すブロック図である。図３を参照すると、本実施形態に係る測量計算サーバ３００は、通信部３１０、記憶部３３０、自動生成部３４０、網計算部３５０、成果物生成部３６０、および処理制御部３７０を備える。
【００３３】
通信部３１０は、クライアント端末２００から観測データを受信する情報取得部としての機能を有する。また、自動生成部３４０、網計算部３５０または成果物生成部３６０がユーザに対し各種情報を通知する際に、当該各種情報をクライアント端末２００へ送信する機能を有する。
【００３４】
また、通信部３１０は、ネットワーク５００を用いて、電子基準点に係る位置情報を取得する機能を有する。通信部３１０により取得された電子基準点に係る位置情報は、測量計算に用いられる。
【００３５】
記憶部３３０は、通信部３１０がクライアント端末２００から受信した観測データを記憶する機能を有する。また、記憶部３３０は、自動生成部３４０、網計算部３５０または成果物生成部３６０が生成した成果物を記憶してもよい。
【００３６】
自動生成部３４０は、クライアント端末２００から提供された観測データを用いて単独測位による測位処理を実行し位置情報を取得する。また、自動生成部３４０は、観測データを用いたスタティック法による基線解析を行いＧＮＳＳ受信装置１００が設置されていた設置点に係る位置情報を取得する機能を有する。
【００３７】
また、自動生成部３４０は、単独測位により取得されたＧＮＳＳ受信装置１００の設置点の位置情報および通信部３１０が取得した既知基準点の位置情報を用い、種々の自動生成アルゴリズムに従って、点検計算を実行する際に用いられる点検網、または電子基準点間を結合する点検路線を生成する機能を有する。
【００３８】
また、自動生成部３４０は、ＧＮＳＳ受信装置１００の位置情報および既知基準点の位置情報を用い、他の自動生成アルゴリズムに従って、平均計算網を生成する機能を有する。ここで、平均計算網とは、平均計算の一種である三次元網平均計算の実行に用いられる網図である。
【００３９】
また、自動生成部３４０は、生成された点検網、点検路線または平均計算網を、例えばクライアント端末２００に表示させることでユーザに対し通知してよい。また、自動生成部３４０は、点検網または平均計算網の生成が失敗した場合、当該生成の失敗を、例えばクライアント端末２００に表示させることでユーザに対し通知してよい。
【００４０】
網計算部３５０は、自動生成部３４０が生成した点検網または点検路線に基づいて、点検計算を実行する機能を有する。また、網計算部３５０は、自動生成部３４０が生成した平均計算網に基づいて、三次元網平均計算を実行する機能を有する。また、網計算部３５０は、自動生成部３４０が生成した点検網に基づいて、当該点検網のＧＮＳＳ受信装置１００および既知基準点間の基線解析を実行してよい。
【００４１】
成果物生成部３６０は、網計算部３５０の計算結果に基づいて各種成果物を生成する機能を有する。ここで、成果物とは、観測手簿や観測記簿などをいう。また、成果物生成部３６０は、生成した成果物を、例えばクライアント端末２００に表示させることでユーザに対し通知してよい。
【００４２】
処理制御部３７０は、測量計算サーバ３００が備える各構成を制御する機能を有する。処理制御部３７０は、例えば、各構成の起動や停止を制御する。
【００４３】
（２．観測および測量計算の動作例）
（２−１．観測に関する動作例）
以下、本実施形態に係る基準点測量に関する動作について説明していく。まず、現場での観測作業について説明する。まず、複数のＧＮＳＳ受信装置１００は、スタティック法に従って、同時観測を実行し、設置点での観測データを受信する。
【００４４】
スタティック法とは、複数の観測装置によって４台以上のＧＮＳＳ衛星からの信号が所定時間（例えば、１時間）以上受信され、ＧＮＳＳ衛星の時間的位置変化に基づいて搬送波波長の整数値バイアスが決定される方法である。スタティック法については、測位に要する時間が他の方法よりも比較的長いが、ミリメートル程度の高い精度が期待され得る。なお、観測、測位処理および測量計算は、ＲＴＫ法またはキネマティック法でも行うことが可能であり得る。ここでＲＴＫ（Ｒｅａｌｔｉｍｅ  Ｋｉｎｅｍａｔｉｃ）法とは、観測開始時に搬送波波長の整数値バイアスが決定され、その後、観測装置間の無線通信によって観測データの交信が行われることで、リアルタイムに測位処理が行われる方法である。また、キネマティック法は、ＲＴＫ−ＧＰＳともいい、既知基準点からの補正観測情報を携帯電話や無線通信装置を利用して観測装置である移動局に送信し、移動局の位置をリアルタイムで測定する方法をいう。なお、以降本明細書では、スタティック法による観測、測位処理および測量計算が行われる場合の動作について説明する。
【００４５】
図４は、複数のＧＮＳＳ受信装置１００を用いたスタティック法に従う同時観測の方法について説明するための図である。図４には、ＧＮＳＳ受信装置１００ａ〜１００ｄに対応する観測時間ＭＴ１〜ＭＴ４が示されている。ここで、ＧＮＳＳ受信装置１００ａ〜１００ｄは、それぞれ事前に計画された設置点に設置されているとする。またここで、観測時間ＭＴ１〜ＭＴ４は、それぞれのＧＮＳＳ受信装置１００ａ〜１００ｄがＧＮＳＳ衛星から電波信号を受信している時間である。
【００４６】
観測にスタティック法が用いられる場合、複数のＧＮＳＳ受信装置１００が同時に電波信号を受信している時間において、ＧＮＳＳ受信装置１００ａ〜１００ｄの各々の抽出される観測データが、その後の測量計算に用いられる。具体的には、複数のＧＮＳＳ受信装置１００ａ〜１００ｄの全てが複数のＧＮＳＳ衛星からの電波信号の受信を実行している状態になってから、ＧＮＳＳ受信装置１００ａ〜１００ｄうち、いずれかの電波信号の受信が停止するまでの時間の観測データが、その後の測量計算に用いられる。図４の一例において、測量計算に用いられる時間帯は、観測時間ＭＴ１〜ＭＴ４が存在している時間である開始時間Ｔ１から終了時間Ｔ２の間の１時間である。
【００４７】
上記のような、複数のＧＮＳＳ受信装置１００ａ〜１００ｄにより実行される同時観測の単位をセッションという。ここで、同時観測とは、複数のＧＮＳＳ受信装置１００ａ〜１００ｄが同じ時間にＧＮＳＳ衛星からの電波信号を受信する観測をいう。なお、終了時間Ｔ２の後、ＧＮＳＳ受信装置１００ａ〜１００ｄは回収される。全ての計画されたセッションでの同時観測が完了している場合、現場での作業は終了となる。全てのセッションでの同時観測が完了していない場合、ＧＮＳＳ受信装置１００ａ〜１００ｄは別の設置点に設置され、再び同様の観測が開始される。
（２−２．測量計算に関する動作例）
【００４８】
上記では、現場での観測に関する作業について説明した。上述したように、観測の完了後は、観測データの良否を確かめるために、点検計算の実行が必要である。まず、上述したようにリムーバブルメモリ１３０は、クライアント端末２００へ挿入されることで、観測データをクライアント端末２００へ提供する。次に、クライアント端末２００は、測量計算サーバ３００へ当該観測データを送信する。測量計算サーバ３００の自動生成部３４０は、通信部３１０を介して、観測データを受信する。そして、自動生成部３４０は、点検網および点検路線を生成する。
【００４９】
ここで、測量計算サーバ３００が点検網および点検路線の生成する、もしくは基線解析を実行するためには、測量計算サーバ３００に生のデータである観測データを提供することが求められる。なお、観測データは「ＲＡＷデータ」とも呼ばれる。ＲＡＷデータには少なくとも、ＧＮＳＳ衛星から受信した信号の搬送波の位相データが含まれる。
【００５０】
その後、当該ＲＡＷデータは、所定の方法によってＧＮＳＳ受信装置１００から取り出され、クライアント端末２００を介して測量計算サーバ３００に提供される。そして、測量計算サーバ３００は、当該ＲＡＷデータを用いて単独測位による測位処理を行うことでＧＮＳＳ受信装置１００の位置情報を取得することができる。また、測量計算サーバ３００は、当該ＲＡＷデータを用いてスタティック法による測量計算を行うことでＧＮＳＳ受信装置１００のより詳細な位置情報を取得することができる。このように、測量計算サーバ３００が、より負荷の大きい測位処理を担うことによって、ＧＮＳＳ受信装置１００の負荷を低減させることができる。換言すると、ＧＮＳＳ受信装置１００は高性能な処理機能を有していなくてもよいため、計算コストがより低減され得る。
【００５１】
ここで、自動生成アルゴリズムに従って、点検網および点検路線を生成する動作について説明する。図５は、自動生成アルゴリズムに従って点検網および点検路線を生成する動作の一例について説明するための図である。図５左側には、設置点Ｐ１〜Ｐ５および電子基準点位置ＥＰ１〜ＥＰ３が示されている。また、図５右側には、セッションＳ１〜Ｓ３および点検路線Ｌ１〜Ｌ２がさらに示されている。以下、既知基準点が全て電子基準点である場合の一例について説明する。
【００５２】
本実施形態に係る自動生成部３４０は、ＧＮＳＳ受信装置１００からクライアント端末２００を介して提供された観測データを用いて単独測位による測位処理を実行し位置情報を取得する。次に、自動生成部３４０は、計算した位置情報および既知基準点に係る位置情報を用い、第１の自動生成アルゴリズムに従って、点検網を生成する。ここで、既知基準点が電子基準点である場合、自動生成部３４０は、位置情報、および電子基準点に係る位置情報を用い、第２の自動生成アルゴリズムに従って、点検網を生成する。
【００５３】
具体的には、自動生成部３４０は、自動生成部３４０は、設置点および電子基準点位置から、基準点測量に係る点検計算の方式に則って、点検網もしくは点検路線を生成する。また、電子基準点位置とは、ネットワーク５００を介して取得した設置点近傍の電子基準点の位置をいう。なお、設置点近傍の電子基準点の位置は、電子基準点の位置情報により確認される情報である。
【００５４】
点検計算の方式に則った点検路線の生成方法の一例として、異なるセッション間で重複した辺の較差を比較する方法が存在する。他には、既知基準点として電子基準点を用いられている場合、電子基準点間を結合させる点検路線を生成する方法が存在する。なお、点検路線は最小辺数となるように生成される。
【００５５】
図５左側の一例において、電子基準点位置ＥＰ１〜ＥＰ３は、通信部３１０が取得した設置点近傍の３か所の電子基準点の位置情報に基づいて、判明した当該電子基準点の位置である。自動生成部３４０は、基準点測量の点検計算の方式に則るように点検網を生成するアルゴリズムに従って、各々のセッションＳ１〜Ｓ３を囲む点検網を生成している。また、自動生成部３４０は、既知基準点が電子基準点であるため、点検計算の方式に則るように点検路線を生成するアルゴリズムに従って、点検路線Ｌ１〜Ｌ２を生成している。ここで、セッションは、それぞれＰ１、Ｐ２、Ｐ３で同時観測が実行され、次にＰ２、Ｐ３、Ｐ４で同時観測が実行され、最後にＰ３、Ｐ４、Ｐ５で同時観測が実行された情報から確認される。
【００５６】
なお、自動生成部３４０が点検網または点検路線の生成が正常にできない場合がある。自動生成部３４０が点検網または点検路線の生成に失敗する原因として、一例として以下の場合が考えられる。ある設置点でのＧＮＳＳ受信装置１００による観測が正常に実行されなかった。そのため、当該設置点での観測データを測量計算に用いることができず、結果として、点検計算の方式に基づく、点検網または点検路線の生成が不可能となった。しかし、点検計算の方式を満たす点検網または点検路線の生成方法は、一つではない場合がある。その場合は、自動生成部３４０は、他の生成方法を用いて点検網または点検路線の生成を試みてよい。
【００５７】
上記のような場合に、自動生成部３４０は、当該生成が正常に行われなかったことをユーザに対し通知してよい。図６は、点検網が正常に生成されなかったことをユーザに対し通知する一例について説明するための図である。図６には、ディスプレイ２１０が備え付けられたクライアント端末２００が示されている。当該ディスプレイ２１０は、エラーメッセージＭ１およびエラー図Ｍ２を表示している。図６の一例において、エラーメッセージＭ１は、点検網が正常に生成されなかったことを示すメッセージであり、エラー図Ｍ２は、点検網が正常に生成されなかった原因である設置点の箇所を示す画像である。
【００５８】
図６において、測量計算サーバ３００の自動生成部３４０は、点検網が正常に生成されなかったことをユーザに対し通知している。以下具体的に説明する。まず、自動生成部３４０による点検網が正常に生成されなかった場合、自動生成部３４０は、通信部３１０を介して点検網の生成に失敗した旨および点検網の生成に失敗した原因を示す図を、クライアント端末２００に表示させることでユーザに対し通知する。一方、クライアント端末２００は、当該通知の受信に応じて、例えばディスプレイ２１０にエラーメッセージＭ１およびエラー図Ｍ２を表示する。
【００５９】
このように、測量計算サーバ３００は、ＧＮＳＳ受信装置１００から観測情報を受信後、点検網もしくは点検路線を自動的に生成する機能を有する。係る機能によれば、観測の結果を入力する、および点検計算のための網図をユーザが作成する手間を省くことができ、測量業務をより効率化することが可能になる。
【００６０】
上記では、点検計算において、点検網および点検路線を自動生成する場合を説明してきた。上述したように、本実施形態に係る情報処理システムによる基準点測量において、点検網および点検路線の生成後、基線解析および点検計算が実行される。次に、当該点検計算の実行後は、三次元網平均計算の実行に必要な平均計算網を生成する。当該基線解析には、観測データが用いられる。
【００６１】
また、スタティック法による基線解析では、原則としてＰＣＶ（ｐｈａｓｅ  ｃｅｎｔｅｒ  ｖａｒｉａｔｉｏｎ）補正を行う必要がある。なお、ＰＣＶとは、ＧＮＳＳ衛星からの電波信号の入射角によってＧＮＳＳ受信装置１００の受信アンテナの位相中心が変動することである。
【００６２】
ここで、自動生成部３４０は、三次元網平均計算に用いられる平均計算網を、自動生成アルゴリズムに従って、生成することが可能である。図７は、自動生成アルゴリズムに従って平均計算網を生成する動作の一例について説明するための図である。図７左側には、設置点Ｐ１〜Ｐ５および電子基準点位置ＥＰ１〜ＥＰ３が示されている。また、図７右側には、平均計算網を構成する網平均計算基線Ｌ３〜Ｌ９がさらに示されている。
【００６３】
本実施形態に係る自動生成部３４０は、生成された点検網または点検路線に基づいて実行された基線解析に係る結果を用い、第３の自動生成アルゴリズムに従って、平均計算網を生成する。また、自動生成部３４０が生成した平均計算網は、当該基線解析および三次元網平均計算に用いられる。具体的に説明する。自動生成部３４０は、網計算部３５０により実行されたスタティック法による基線解析の結果を用いた平均計算網の生成が可能である。
【００６４】
図７左側には、図５と同様に設置点Ｐ１〜Ｐ５および電子基準点位置ＥＰ１〜ＥＰ３が表示されている。一方、図７右側において、自動生成部３４０は、設置点Ｐ１〜Ｐ５および電子基準点位置ＥＰ１〜ＥＰ３を用い、基準点測量の三次元網平均計算の方式に則るように平均計算網を生成するアルゴリズムに従って、平均計算網を構成する網平均計算基線Ｌ３〜Ｌ９を生成している。
【００６５】
このように、測量計算サーバ３００は、平均計算網を自動的に生成する機能を有する。係る機能によれば、平均計算のための網図をユーザが作成する手間を省くことができ、測量業務をより効率化することが可能になる。
【００６６】
次に、網計算部３５０は、生成された平均計算網を用いて、基線解析を実行する。また、網計算部３５０は、当該基線解析に係る結果に関して、一部または全部の基線にＦＩＸ解が存在するか否かを判定する。ＧＮＳＳ衛星からの電波信号を用いた基線解析の結果は、ＦＩＸ解である必要がある。ここで、ＦＩＸ解とは、一定の条件を満足する厳密解をいう。
【００６７】
ここで、網計算部３５０が、一部または全部の基線にＦＩＸ解が存在しないと判定した場合、網計算部３５０は当該判定の結果をユーザに対し通知してよい。図８は、ＦＩＸ解が得られなかったことをユーザに対し通知する一例について説明するための図である。図８には、ディスプレイ２１０が備え付けられたクライアント端末２００が示されている。ディスプレイ２１０は、当該判定を知らせて他の平均計算網を生成する旨を知らせるエラーメッセージＭ３を表示している。
【００６８】
次に、網計算部３５０は、ＦＩＸ解を得た基線解析の結果を用いて、三次元網平均計算を実行する。なお、網計算部３５０は、ＧＮＳＳ衛星からの電波信号を用いた実用三次元網平均計算として、既知基準点１点を固定する仮定三次元網平均計算および、既知基準点２点を固定する厳密三次元網平均計算を実行する必要がある。なお、既知基準点が電子基準点のみである場合、網計算部３５０は、仮定三次元網平均計算に関しては実行する必要が無い。
【００６９】
網計算部３５０は、厳密三次元網平均計算の実行後、当該実行の結果を成果物生成部３６０へ送信する。成果物生成部３６０は、当該実行の結果に基づいて、各種成果物を生成し、基準点測量に関する測量計算は終了する。
【００７０】
このように、測量計算の途中結果をユーザに対し通知することで、測量作業を効率化させるだけでなく、ユーザが測量計算の状況をより正確に把握することが可能となる。
【００７１】
（３．動作の流れ）
（３−１．観測に関する作業の流れ）
次に本実施形態に係るＧＮＳＳ受信装置１００による観測に関する作業の流れについて説明する。図９は、スタティック法を用いた観測に関する作業の流れの一例を示すフローチャートである。
【００７２】
図９を参照すると、まず、観測者が観測対象となる区域周辺の地図情報等を参考にして、ＧＮＳＳ受信装置１００を設置する複数の設置点を事前に計画する（Ｓ１００１）。次に、観測者はＧＮＳＳ受信装置１００を各々の設置点に設置し、ＧＮＳＳ受信装置１００はＧＮＳＳ衛星からの電波信号の受信による観測を開始する（Ｓ１００２）。
【００７３】
ＧＮＳＳ衛星からの電波信号の受信開始から一定時間経過後、ＧＮＳＳ受信装置１００はＧＮＳＳ衛星からの電波信号の受信による観測を完了する（Ｓ１００３）。次に、観測者は、事前に計画された全ての設置点での観測が完了したか確認し（Ｓ１００４）、全ての設置点での観測が完了している場合（Ｓ１００４：ＹＥＳ）、観測に関する作業は終了する。一方、全ての設置点での観測が完了していない場合（Ｓ１００４：ＮＯ）、ステップＳ１００２へ戻る。
【００７４】
（３−２．測量計算に関する動作の流れ）
次に本実施形態に係る測量計算サーバ３００による測量計算に係る動作の流れについて説明する。図１０は、本実施形態に係る測量計算サーバ３００による測量計算に係る動作の流れの一例を示すフローチャートである。
【００７５】
図１０を参照すると、まず、通信部３１０は、複数のＧＮＳＳ受信装置１００からクライアント端末２００を介して提供された、複数のＧＮＳＳ受信装置１００が同時観測により受信した電波信号から抽出した観測データを受け取る（Ｓ１２０１）。次に、通信部３１０は、以降の測量計算において、既知基準点として電子基準点を用いるか否かを確認する（Ｓ１２０２）。既知基準点として電子基準点を用いると確認した場合（Ｓ１２０２：ＹＥＳ）、通信部３１０は設置点近傍の電子基準点を検索し、当該電子基準点に係る情報を取得する（Ｓ１２０３）。一方、既知基準点として電子基準点を用いないと確認した場合（Ｓ１２０２：ＮＯ）、通信部３１０は当該同時観測において使用する既知基準点の位置情報の入力を、例えばクライアント端末２００から受信する（Ｓ１２０４）。次に、通信部３１０は、観測データを自動生成部３４０へ提供する。
【００７６】
次に、自動生成部３４０は、単独測位を実行し、当該単独測位により得られたＧＮＳＳ受信装置１００の複数の設置点に係る各時点における位置情報に基づいて、複数の異なるセッションに属する位置情報を取得し、セッション毎に分割する（Ｓ１２０５）。次に、自動生成部３４０は、セッション毎に分割された位置情報を用い、点検計算の方式に則った自動生成アルゴリズムに従って、点検網および点検路線を生成する（Ｓ１２０６）。
【００７７】
次に、自動生成部３４０は、点検網および点検路線が正常に生成されたか否かを判定する（Ｓ１２０７）。点検網および点検路線が正常に生成されなかったと判定された場合（Ｓ１２０７：ＮＯ）、当該判定の内容および観測に関する作業の再実行が必要である旨をユーザに対し通知し（Ｓ１２０８）、動作は終了する。一方、点検網および点検路線が正常に生成されたと判定された場合（Ｓ１２０７：ＹＥＳ）、網計算部３５０は、観測データ、生成された点検網および点検路線を用いて、基線解析を実行する（Ｓ１２０９）。次に、網計算部３５０は、生成された点検網および点検路線、並びにステップＳ１２０９で得られた基線解析の結果を用いて、点検計算を実行する（Ｓ１２１０）。
【００７８】
次に、自動生成部３４０は、ステップＳ１２０９で得られた基線解析の結果を用いて、三次元網平均計算の方式に則った自動生成アルゴリズムに従って、平均計算網を生成する（Ｓ１２１１）。網計算部３５０は、ステップＳ１２１１で生成された平均計算網および観測データを用いて、再び基線解析を実行する（Ｓ１２１２）。次に、網計算部３５０は、ステップＳ１２１２で得られた基線解析に係る結果に関して、一部または全部の基線にＦＩＸ解が存在するか否かを判定する（Ｓ１２１３）。一部または全部の基線にＦＩＸ解が存在しないと判定された場合（Ｓ１２１３：ＮＯ）、ステップＳ１２１１へ戻る。一部または全部の基線にＦＩＸ解が存在すると判定された場合（Ｓ１２１３：ＹＥＳ）、網計算部３５０は、ステップＳ１２１２で得られた基線解析の結果およびステップＳ１２１１で生成された生成された平均計算網を用いて、三次元網平均計算を実行する（Ｓ１２１４）。次に、成果物生成部３６０は、基準点測量の成果物を生成し（Ｓ１２１５）、動作は終了する。
【００７９】
＜４．第２の実施形態＞
上記では、本開示に係る第１の実施形態について説明した。続いて、本開示に係る第２の実施形態について説明する。基本的に、第１の実施形態の説明と重複する内容は省略し、第１の実施形態との差分について説明する。
【００８０】
第１の実施形態においては、測量計算サーバ３００は、点検網および点検路線が正常に生成されたか否か、並びに基線解析の結果としてＦＩＸ解が得られたか否かの結果をユーザに対し通知していた。一方で、第２の実施形態では、測量計算サーバ３００の網計算部３５０は、三次元網平均計算を実行した際に用いた平均計算網に係る情報を、ユーザに対し、例えば基準点測量の成果物として、さらに通知することが可能である。
【００８１】
図１１は、三次元網平均計算を実行した際に用いた平均計算網に係る情報を、ユーザに対し通知する一例について説明するための図である。図１１において、測量計算サーバ３００の網計算部３５０は、三次元網平均計算を実行した際に用いた平均計算網に係る情報を、ユーザに対し通知している。具体的に説明する。まず、網計算部３５０は、生成され三次元網平均計算に用いられた平均計算網を、例えばクライアント端末２００にユーザに対し表示させることで通知する。一方、クライアント端末２００は、当該通知の受信に応じて、例えばディスプレイ２１０に生成された平均計算網を用いて三次元網平均計算が完了したことを伝える完了メッセージＭ４、および当該平均計算網の情報を示す平均計算網図Ｍ５を表示している。
【００８２】
このように、測量計算に用いた平均計算網に係る情報をユーザに対し通知することで、測量作業を効率化させるだけでなく、ユーザが計算の状況をより正確に把握することも可能となる。
【００８３】
＜５．第３の実施形態＞
続いて、本開示に係る第２の実施形態について説明する。同様に、第１の実施形態の説明と重複する内容は省略し、第１の実施形態との差分について説明する。
【００８４】
図１２は、第３の実施形態に係るＧＮＳＳ受信装置１００の機能構成例を示すブロック図である。図１２には、無線通信部１４０をさらに備えたＧＮＳＳ受信装置１００が示されている。第１の実施形態では、処理部１２０が抽出した観測データは、リムーバブルメモリ１３０を介してクライアント端末２００へと提供されていた。一方、第３の実施形態は、ＧＮＳＳ受信装置１００の無線通信部１４０がクライアント端末２００へ無線通信により観測データを送信する実施例である。本実施形態に係る無線通信部１４０は、処理部１２０が抽出した観測データを、例えば全ての同時観測が完了した後に、クライアント端末２００へ無線通信により送信する機能を有する。
【００８５】
このように、本実施形態に係る無線通信部１４０に係る機能によれば、リムーバブル記録媒体を必要としない位置情報の移動が可能となり、観測に関する作業が完了した後の手間をさらに省くことができる。
【００８６】
＜６．第４の実施形態＞
続いて、本開示に係る第４の実施形態について説明する。同様に、第１の実施形態の説明と重複する内容は省略し、第１の実施形態との差分について説明する。
【００８７】
第１の実施形態では、ＧＮＳＳ受信装置１００がＧＮＳＳ衛星から受信した電波信号および既知基準点の位置情報を用いて、測量業務が行われる。一方、第４の実施形態に係る情報処理システムでは、飛行撮像装置６００をさらに備え、当該飛行撮像装置６００のカメラ６１０により撮像された地上の撮像画像を用いた測量の実行が可能となる。
【００８８】
図１３は、本実施形態に係る飛行撮像装置を用いた観測の概要を説明するための図である。図１３には、ＧＮＳＳ受信装置１００ａ〜１００ｄ、電子基準点４００ａ〜４００ｂおよびカメラ６１０を備える飛行撮像装置６００が示されている。ここで、飛行撮像装置６００は、例えばＵＡＶ（Ｕｎｍａｎｎｅｄ  ａｅｒｉａｌ  ｖｅｈｉｃｌｅ）でもよい。また、飛行撮像装置６００は、ＧＮＳＳ受信機を備えてもよい。
【００８９】
図１３の一例において、飛行撮像装置６００は、事前に計画された飛行経路に従って、測量の対象となる区域の上空を飛行する。次に、飛行撮像装置６００は、ＧＮＳＳ受信装置１００を含む区域をカメラ６１０を用いて撮像する撮像画像を生成する。なお、飛行撮像装置６００は、ＧＮＳＳ受信装置１００ａ〜１００ｄの全てがＧＮＳＳ衛星からの受信を実行している状態になってから、ＧＮＳＳ受信装置１００ａ〜１００ｄのうち、いずれかのＧＮＳＳ受信装置１００の受信が停止するまでの観測時間中に撮像する。観測に関する作業が終了した後、飛行撮像装置６００は、クライアント端末２００を介して、測量計算サーバ３００へ撮像画像を提供する。次に、測量計算サーバ３００の自動生成部３４０は、撮像画像中のＧＮＳＳ受信装置１００ａ〜１００ｄを検出し、検出された撮像画像中のＧＮＳＳ受信装置１００ａ〜１００ｄの位置と、ＧＮＳＳ受信装置１００ａ〜１００ｄの設置点とを対応付けて、３Ｄモデルデータを生成する。
【００９０】
このように、飛行撮像装置６００を用いた観測を実行することで、より詳細な測量の実行が可能となる。
【００９１】
＜７．ハードウェア構成例＞
次に、本開示の一実施形態に係る測量計算サーバ３００のハードウェア構成例について説明する。図１４は、本開示の一実施形態に係る測量計算サーバ３００のハードウェア構成例を示すブロック図である。図１４を参照すると、測量計算サーバ３００は、例えば、プロセッサ８７１と、ＲＯＭ８７２と、ＲＡＭ８７３と、ホストバス８７４と、ブリッジ８７５と、外部バス８７６と、インターフェース８７７と、入力装置８７８と、出力装置８７９と、ストレージ８８０と、ドライブ８８１と、接続ポート８８２と、通信装置８８３と、を有する。なお、ここで示すハードウェア構成は一例であり、構成要素の一部が省略されてもよい。また、ここで示される構成要素以外の構成要素をさらに含んでもよい。
【００９２】
（プロセッサ８７１）
プロセッサ８７１は、例えば、演算処理装置又は制御装置として機能し、ＲＯＭ８７２、ＲＡＭ８７３、ストレージ８８０、又はリムーバブル記録媒体９０１に記録された各種プログラムに基づいて各構成要素の動作全般又はその一部を制御する。
【００９３】
（ＲＯＭ８７２、ＲＡＭ８７３）
ＲＯＭ８７２は、プロセッサ８７１に読み込まれるプログラムや演算に用いるデータ等を格納する手段である。ＲＡＭ８７３には、例えば、プロセッサ８７１に読み込まれるプログラムや、そのプログラムを実行する際に適宜変化する各種パラメータ等が一時的又は永続的に格納される。
【００９４】
（ホストバス８７４、ブリッジ８７５、外部バス８７６、インターフェース８７７）
プロセッサ８７１、ＲＯＭ８７２、ＲＡＭ８７３は、例えば、高速なデータ伝送が可能なホストバス８７４を介して相互に接続される。一方、ホストバス８７４は、例えば、ブリッジ８７５を介して比較的データ伝送速度が低速な外部バス８７６に接続される。また、外部バス８７６は、インターフェース８７７を介して種々の構成要素と接続される。
【００９５】
（入力装置８７８）
入力装置８７８には、例えば、マウス、キーボード、タッチパネル、ボタン、スイッチ、及びレバー等が用いられる。さらに、入力装置８７８としては、赤外線やその他の電波を利用して制御信号を送信することが可能なリモートコントローラ（以下、リモコン）が用いられることもある。また、入力装置８７８には、マイクロフォンなどの音声入力装置が含まれる。
【００９６】
（出力装置８７９）
出力装置８７９は、例えば、ＣＲＴ（Ｃａｔｈｏｄｅ  Ｒａｙ  Ｔｕｂｅ）、ＬＣＤ、又は有機ＥＬ等のディスプレイ装置、スピーカ、ヘッドホン等のオーディオ出力装置、プリンタ、携帯電話、又はファクシミリ等、取得した情報を利用者に対して視覚的又は聴覚的に通知することが可能な装置である。また、本開示に係る出力装置８７９は、触覚刺激を出力することが可能な種々の振動デバイスを含む。
【００９７】
（ストレージ８８０）
ストレージ８８０は、各種のデータを格納するための装置である。ストレージ８８０としては、例えば、ハードディスクドライブ（ＨＤＤ）等の磁気記憶デバイス、半導体記憶デバイス、光記憶デバイス、又は光磁気記憶デバイス等が用いられる。
【００９８】
（ドライブ８８１）
ドライブ８８１は、例えば、磁気ディスク、光ディスク、光磁気ディスク、又は半導体メモリ等のリムーバブル記録媒体９０１に記録された情報を読み出し、又はリムーバブル記録媒体９０１に情報を書き込む装置である。
【００９９】
（リムーバブル記録媒体９０１）
リムーバブル記録媒体９０１は、例えば、ＤＶＤメディア、Ｂｌｕ−ｒａｙ（登録商標）メディア、ＨＤ  ＤＶＤメディア、各種の半導体記憶メディア等である。もちろん、リムーバブル記録媒体９０１は、例えば、非接触型ＩＣチップを搭載したＩＣカード、又は電子機器等であってもよい。
【０１００】
（接続ポート８８２）
接続ポート８８２は、例えば、ＵＳＢ（Ｕｎｉｖｅｒｓａｌ  Ｓｅｒｉａｌ  Ｂｕｓ）ポート、ＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）、ＲＳ−２３２Ｃポート、又は光オーディオ端子等のような外部接続機器９０２を接続するためのポートである。
【０１０１】
（外部接続機器９０２）
外部接続機器９０２は、例えば、プリンタ、携帯音楽プレーヤ、デジタルカメラ、デジタルビデオカメラ、又はＩＣレコーダ等である。
【０１０２】
（通信装置８８３）
通信装置８８３は、ネットワークに接続するための通信デバイスであり、例えば、有線又は無線ＬＡＮ、Ｂｌｕｅｔｏｏｔｈ（登録商標）、又はＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、又は各種通信用のモデム等である。
【０１０３】
＜８．まとめ＞
以上で説明してきたように、本実施形態に係る測量計算サーバ３００は、点検網、点検路線または平均計算網を、種々のアルゴリズムに従って、自動的に生成する機能を有する。係る機能によれば、観測者は、基準点測量をより効率的に遂行することが可能となる。
【０１０４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１０５】
例えば、上記の各フローチャートに示した各ステップは、必ずしもフローチャートとして記載された順序に沿って時系列に処理する必要はない。すなわち、各ステップは、フローチャートとして記載した順序と異なる順序で処理されても、並列的に処理されてもよい。
【０１０６】
なお、以下のような構成も本開示の技術的範囲に属する。
（１）
ＧＮＳＳ衛星から同時観測を実行した複数の観測装置により受信された信号に基づいて前記観測装置の設置点に係る位置情報、および既知基準点に係る位置情報を取得することと、
取得された前記観測装置の設置点に係る位置情報、および前記既知基準点に係る位置情報を用い、第１の自動生成アルゴリズムに従って、プロセッサが、点検網を生成することと、
を含む、情報処理方法。
（２）
前記既知基準点が電子基準点である場合、取得された前記観測装置の設置点に係る位置情報、および前記電子基準点に係る位置情報を用い、第２の自動生成アルゴリズムに従って、前記電子基準点間を結合する点検路線を生成すること、
をさらに含む、前記（１）に記載の情報処理方法。
（３）
前記点検網が正常に生成されなかったことをユーザに対し通知すること、
をさらに含む、前記（１）または（２）に記載の情報処理方法。
（４）
前記生成された点検網に基づいて実行された第１の基線解析に係る結果を用い、第３の自動生成アルゴリズムに従って、平均計算網を生成すること、
をさらに含み、
前記平均計算網は、三次元網平均計算の実行に用いられる、
前記（１）〜（３）のいずれか１項に記載の情報処理方法。
（５）
生成された前記平均計算網に基づいて実行された第２の基線解析に係る結果に関して、一部または全部の基線にＦＩＸ解が存在するか否かを判定することと、
前記第２の基線解析に係る結果に関して、一部または全部の前記基線にＦＩＸ解が存在しないと判定された場合、前記第１の基線解析に係る結果を用い、第３の自動生成アルゴリズムに従って、前記平均計算網とは異なる平均計算網を生成することと、
をさらに含む、前記（４）に記載の情報処理方法。
（６）
前記第２の基線解析に係る結果に関して、前記一部または全部の基線にＦＩＸ解が存在しないと判定されたことをユーザに対し通知すること、
をさらに含む、前記（５）に記載の情報処理方法。
（７）
前記平均計算網に係る情報を、ユーザに対し通知すること、
をさらに含む、前記（４）〜（６）のいずれか１項に記載の情報処理方法。
（８）
前記平均計算網に係る情報を、基準点測量の成果物として出力すること、
をさらに含む、前記（７）に記載の情報処理方法。
（９）
前記観測装置の設置点に係る位置情報を、同時観測が実行されたセッション毎に分割することと、
取得された前記観測装置の設置点に係る位置情報、および前記既知基準点に係る位置情報を用い、第１の自動生成アルゴリズムに従って、プロセッサが、前記セッション毎の点検網を生成することと、
をさらに含む、前記（１）〜（８）のいずれか１項に記載の情報処理方法。
（１０）
前記同時観測は、スタティック法、ＲＴＫ法、またはキネマティック法のいずれかにより実行される、
前記（１）〜（９）のいずれか１項に記載の情報処理方法。
（１１）
飛行撮像装置により撮像された前記観測装置を含む撮像画像から前記観測装置を検出し、検出された前記撮像画像中の前記観測装置の位置と前記観測装置の設置点に係る位置とを対応付けること、
をさらに含む前記（１）〜（１０）のいずれか１項に記載の情報処理方法。
（１２）
コンピュータを、
ＧＮＳＳ衛星から受信した信号に基づいて同時観測を実行した複数の観測装置により計算された前記観測装置の設置点に係る位置情報、および既知基準点に係る位置情報を取得する情報取得部と、
取得された前記観測装置の設置点に係る観測情報、および前記既知基準点に係る位置情報を用い、自動生成アルゴリズムに従って、点検網を生成する自動生成部と、
を備える、情報処理装置、
として機能させるためのプログラム。
（１３）
ＧＮＳＳ衛星から受信した信号に基づいて同時観測を実行する観測装置と、
前記観測装置により計算された前記観測装置の設置点に係る観測情報、および既知基準点に係る位置情報を取得する情報取得部と、
取得された前記観測装置の設置点に係る観測情報、および前記既知基準点に係る位置情報を用い、第１の自動生成アルゴリズムに従って、プロセッサが、点検網を生成する自動生成部と、
を備える、情報処理システム。
【符号の説明】
【０１０７】
１００    ＧＮＳＳ受信装置
１１０    アンテナ
１２０    処理部
１３０    リムーバブルメモリ
２００    クライアント端末
２１０    ディスプレイ
３００    測量計算サーバ
３１０    通信部
３３０    記憶部
３４０    自動生成部
３５０    網計算部
３６０    成果物生成部
３７０    処理制御部
４００    電子基準点
５００    ネットワーク
６００    飛行撮像装置
６１０    カメラ
【図１】
2020012713.tif 000003
【図２】
2020012713.tif 000004
【図３】
2020012713.tif 000005
【図４】
2020012713.tif 000006
【図５】
2020012713.tif 000007
【図６】
2020012713.tif 000008
【図７】
2020012713.tif 000009
【図８】
2020012713.tif 000010
【図９】
2020012713.tif 000011
【図１０】
2020012713.tif 000012
【図１１】
2020012713.tif 000013
【図１２】
2020012713.tif 000014
【図１３】
2020012713.tif 000015
【図１４】
2020012713.tif 000016